(57)【要約】【課題】単位時間当たりの処理能力を向上させるとともに、コストを削減することができる検査装置を提供する。【解決手段】本発明に係る検査装置１０は、受光面において擬似太陽光を受光したときの太陽電池モジュール７の特性を検査する検査装置１０であって、擬似太陽光を照射する光源１と、擬似太陽光が照射される照射領域内に、当該受光面が擬似太陽光を受光する状態で、受光面に入射する擬似太陽光に対して傾斜するように、複数の太陽電池モジュール７を配置するための配置台２とを備えるので、単位時間当たりの処理能力を向上させるとともに、コストを削減することができる。【選択図】図１
2011091089.tif 000002
【特許請求の範囲】
【請求項１】
受光面において擬似太陽光を受光したときの太陽電池モジュールの特性を検査する検査装置であって、
上記擬似太陽光を照射する光源と、
上記擬似太陽光が照射される照射領域内に、上記受光面が上記擬似太陽光を受光する状態で、上記受光面に入射する上記擬似太陽光に対して傾斜するように、複数の上記太陽電池モジュールを配置するための配置台とを備えることを特徴とする検査装置。
【請求項２】
配置された上記太陽電池モジュールにおける、上記受光面上の任意の点から上記光源までの距離を変える可動手段をさらに備えていることを特徴とする請求項１に記載の検査装置。
【請求項３】
上記可動手段は、上記太陽電池モジュールの中心を支点として回転させて、上記太陽電池モジュールにおける上記光源に最も近い辺および最も遠い辺の上記光源までの距離を反転させることを特徴とする請求項２に記載の検査装置。
【請求項４】
上記可動手段は、配置された上記太陽電池モジュールの傾きを変えることを特徴とする請求項２に記載の検査装置。
【請求項５】
上記太陽電池モジュールの出力特性を測定する測定手段と、
測定された上記出力特性を、上記太陽電池モジュールの傾斜角度による影響を消すように補正する補正手段と、
補正された上記出力特性が、予め定められた基準を満たしているか否かを判定する判定手段とを備えていることを特徴とする請求項１〜４のいずれか１項に記載の検査装置。
【請求項６】
受光面において擬似太陽光を受光したときの太陽電池モジュールの特性を検査する検査方法であって、
光源から上記擬似太陽光を照射する照射工程と、
上記擬似太陽光が照射される照射領域内に、上記受光面が上記擬似太陽光を受光する状態で、複数の上記太陽電池モジュールを配置する配置工程とを含むことを特徴とする検査方法。
【発明の詳細な説明】
【技術分野】
【０００１】
本発明は、複数の太陽電池モジュールの特性を同時に検査する検査装置、及び検査方法に関する。
【背景技術】
【０００２】
従来、太陽電池モジュールの特性がその仕様を満足しているか否かを確かめる方法として、擬似太陽光を発生する光源を使用し、当該光源からの光を太陽電池モジュールに照射することにより特性を検査し、評価している。このとき、太陽電池モジュールを１個ずつ検査していたのでは時間がかかり、検査できる数量は少ない。そこで、これまでに複数個の太陽電池モジュールを一度に検査する方法が考えられている。
【０００３】
たとえば、特許文献１には、擬似太陽光を照射する発光部、および当該発光部に対して少なくとも２枚の太陽電池モジュールを配置するモジュール配置部を備え、当該配置部に置かれた各モジュールに対して、それぞれ負荷制御部および計測部を接続した太陽電池測定用ソーラシミュレータが開示されている。特許文献１のソーラシミュレータでは、このような構成とすることにより、１回の測定操作で少なくとも２枚のモジュールの特性を測定している。
【先行技術文献】
【特許文献】
【０００４】
【特許文献１】特開２００３−６９０５７号公報（２００３年３月７日公開）
【発明の概要】
【発明が解決しようとする課題】
【０００５】
ところで、検査装置において一度に検査することができる太陽電池モジュールの数は、光源から照射される光の有効照射面積に依存する。つまり、有効照射面積が大きいほどその範囲内に配置可能な太陽電池モジュールの数は増加し、反対に有効照射面積が小さいほど配置可能な太陽電池モジュールの数は減少する。
【０００６】
ここで、従来の検査装置における太陽電池モジュールの配置例を図１２に示す。図１２に示すように、従来の検査装置では、光源１０１から照射される光１０２の有効照射面１０５内に２個の太陽電池モジュール１０３，１０４が配置されている。このとき、太陽電池モジュール１０３，１０４は、その受光面１０６が照射される光１０２に対して垂直に配置されている。この場合、たとえば太陽電池モジュール１０３，１０４の長辺を６６．５ｍｍ、短辺を４１ｍｍとし、さらに有効照射面１０５が直径１２５ｍｍの円とすると、有効照射面１０５内に配置可能な太陽電池モジュールの最大数は２個となる。
【０００７】
このように、太陽電池モジュールの受光面を光の照射方向に対して垂直に配置した場合、有効照射面内において太陽電池モジュールの配置領域が占める割合は大きい。したがって、有効照射面内に配置できる太陽電池モジュールの数は少なく、単位時間当たりの検査数量の少なさからスループットは悪く、コストもかかる。
【０００８】
また、特許文献１には、太陽電池モジュールを光源から照射される光に対してどのように配置するか一切記載されておらず、光の照射領域内に配置する太陽電池モジュールの数量を如何にして増加させるかについては考慮されていない。
【０００９】
本発明は、上記の問題点に鑑みてなされたものであり、その目的は、単位時間当たりの処理能力を向上させるとともに、コストを削減することができる検査装置を提供することにある。
【課題を解決するための手段】
【００１０】
本発明に係る検査装置は、上記の課題を解決するために、
受光面において擬似太陽光を受光したときの太陽電池モジュールの特性を検査する検査装置であって、
上記擬似太陽光を照射する光源と、
上記擬似太陽光が照射される照射領域内に、上記受光面が上記擬似太陽光を受光する状態で、上記受光面に入射する上記擬似太陽光に対して傾斜するように、複数の上記太陽電池モジュールを配置するための配置台とを備えることを特徴としている。
【００１１】
また、本発明に係る検査方法は、上記の課題を解決するために、
受光面において擬似太陽光を受光したときの太陽電池モジュールの特性を検査する検査方法であって、
上記擬似太陽光を照射する照射工程と、
上記擬似太陽光が照射される照射領域内に、上記受光面が上記擬似太陽光を受光する状態で、上記受光面に入射する上記擬似太陽光に対して傾斜するように、複数の上記太陽電池モジュールを配置する配置工程とを含むことを特徴としている。
【００１２】
上記の構成によれば、本発明の検査装置は、擬似太陽光を照射する光源と、複数の太陽電池モジュールを配置するための配置台とを備え、受光面において擬似太陽光を受光したときの太陽電池モジュールの特性を検査する。より具体的には、配置台において擬似太陽光が照射される照射領域内に、複数の太陽電池モジュールを受光面に入射する擬似太陽光に対して傾斜するように配置している。よって、一度に検査可能な太陽電池モジュールの最大数を増加させることができる。
【００１３】
つまり、太陽電池モジュールの受光面が光に対して垂直になるように配置台の照射領域内に配置した場合、太陽電池モジュールが照射領域を占める面積は、単純に２辺の長さの積で導き出される。これに対し、太陽電池モジュールの受光面が光に対して傾斜するように配置した場合、傾斜させた分だけいずれかの辺の見かけの長さは短くなる。よって、単純に２辺の長さの積で導き出したときよりも、太陽電池モジュールが照射領域を占める面積は減少する。そのため、光に対して垂直に配置した場合と比較して、照射領域内に配置することができる太陽電池モジュールの数は増加する。
【００１４】
したがって、本発明の検査装置は、単位時間当たりに検査可能な太陽電池モジュールの数量が増加するため、スループットの向上、すなわち処理能力を向上させ、コストを削減することができる。
【００１５】
また、本発明に係る検査装置では、配置された上記太陽電池モジュールにおける、上記受光面上の任意の点から上記光源までの距離を変える可動手段をさらに備えていることが好ましい。
【００１６】
上記の構成によれば、可動手段が配置された太陽電池モジュールの、受光面上の任意の点から光源までの距離を変えることによって、より正確に太陽電池モジュールの特性を評価することができる。
【００１７】
上述したように、本発明の検査装置では、太陽電池モジュールをその特性を検査するために配置台に配置するとき、受光面を光源から照射される擬似太陽光に対して傾斜させている。そのため、受光面におけるすべての任意の点において光源までの距離が同一ではなく、より強く光が照射される領域とそれよりも弱く照射される領域とが生じてしまう。
【００１８】
そこで、一旦配置された太陽電池モジュールの受光面上の任意の点から光源までの距離が変わるように動かすことにより、受光面上の任意の点に照射される光量を変える。これにより、受光面に均一に光を照射することができるので、受光面を光に対して傾斜させて配置しても、より正確に太陽電池モジュールの特性を評価することができる。
【００１９】
また、本発明に係る検査装置では、上記可動手段は、上記太陽電池モジュールの中心を支点として回転させて、上記太陽電池モジュールにおける上記光源に最も近い辺および最も遠い辺の上記光源までの距離を反転させることが好ましい。
【００２０】
上記の構成によれば、可動手段は配置された太陽電池モジュールを、その中心を支点として回転させて、受光面の領域ごとに照射される光の強度を調節している。
【００２１】
つまり、太陽電池モジュールを照射される光に対して傾斜させて配置したとき、ある辺では光源までの距離が最も近くなり、当該ある辺の反対側の辺では光源までの距離が最も遠くなる。そのため、ある辺では照射される光の強度は高く、反対側の辺では照射される光の強度は低い。
【００２２】
本発明の検査装置では、太陽電池モジュールの傾斜角度を固定したまま、太陽電池モジュールの中心を支点として回転させることにより、当該ある辺と反対側の位置を逆転させ、上下反転させることができる。したがって、受光面に均一に光を照射させて、より正確な出力特性を評価することができる。
【００２３】
また、本発明に係る検査装置では、上記可動手段は、配置された上記太陽電池モジュールの傾きを変えることが好ましい。これにより、受光面に均一に光を照射させて、より正確な出力特性を評価することができる。
【００２４】
また、本発明に係る検査装置では、上記太陽電池モジュールの出力特性を測定する測定手段と、測定された上記出力特性を、上記太陽電池モジュールの傾斜角度による影響を消すように補正する補正手段と、補正された上記出力特性が、予め定められた基準を満たしているか否かを判定する判定手段とを備えていることが好ましい。
【００２５】
上記の構成によれば、本発明の検査装置では、光を受光したときの太陽電池モジュールの出力特性を測定手段が測定し、測定された出力特性を補正手段が補正する。また、判定手段は、このように補正された出力特性が予め定められた基準を満たしているか否かを判定する。これにより、太陽電池モジュールの出力特性が一定の基準を満たしているか否か、すなわち太陽電池モジュールの良否判定をより正確に判定することができる。
【００２６】
つまり、太陽電池モジュールの出力特性は光が受光面に入射するときの角度に影響を受ける。上述したように、本発明の検査装置では、太陽電池モジュールを受光面が照射される光に対して傾斜するように配置しているため、光源に近い側の受光面と光源に遠い側の受光面とでは放射照度に違いが生じる。また、太陽電池モジュールを構成する個々の太陽電池セルの特性によって、太陽電池モジュールをどのように傾けてどちら側の辺を光源に近づけるかでも出力特性が異なる場合がある。
【００２７】
そこで、測定された出力特性の良否判定を行なう前に、太陽電池モジュールの傾斜角度による影響を消すように出力特性を補正することによって、より正確に太陽電池モジュールを評価することができる。
【発明の効果】
【００２８】
本発明は、受光面において擬似太陽光を受光したときの太陽電池モジュールの特性を検査する検査装置であって、上記擬似太陽光を照射する光源と、上記擬似太陽光が照射される照射領域内に、上記受光面が上記擬似太陽光を受光する状態で、上記受光面に入射する上記擬似太陽光に対して傾斜するように、複数の上記太陽電池モジュールを配置するための配置台とを備えるので、単位時間当たりの処理能力を向上させるとともに、コストを削減することができる。
【図面の簡単な説明】
【００２９】
【図１】本発明の一実施形態に係る検査装置の概略構成を示すブロック図である。
【図２】本発明の一実施形態に係る検査装置における、光源に対する太陽電池モジュールの配置例を示す図である。
【図３】本発明の一実施形態に係る検査装置における、太陽電池モジュールの配置例を示す上面図である。
【図４】本発明の一実施形態に係る検査装置における、太陽電池モジュールの配置例を示す上面図である。
【図５】本発明の一実施形態に係る検査装置における、太陽電池モジュールの配置例を示す上面図である。
【図６】本発明の一実施形態に係る検査装置における、太陽電池モジュールの配置例を示す上面図である。
【図７】本発明の一実施形態に係る検査装置における、太陽電池モジュールの配置例を示す上面図である。
【図８】本発明の一実施形態に係る検査装置における、太陽電池モジュールの配置例を示す上面図である。
【図９】本発明の一実施形態に係る検査装置における、太陽電池モジュールの配置例を示す上面図である。
【図１０】本発明の一実施形態に係る検査装置における、光源に対する太陽電池モジュールの別の配置例を示す図である。
【図１１】一般的な太陽電池モジュールの出力特性と光の入射角との関係を示すグラフである。
【図１２】従来の太陽電池モジュールの検査装置における、光源に対する太陽電池モジュールの配置例を示す図である。
【発明を実施するための形態】
【００３０】
本発明に係る検査装置の一実施形態について、図１〜１１を参照して以下に説明する。
【００３１】
〔本実施形態に係る検査装置１０の構成〕
図１は、本発明の一実施形態に係る検査装置１０の概略構成を示すブロック図である。図１に示すように、検査装置１０は、光源１、配置台２、可動部（可動手段）３、測定部（測定手段）４、補正部（補正手段）５及び判定部（判定手段）６を備えている。
【００３２】
本実施形態に係る検査装置１０は、光源１から照射される擬似太陽光を受光した複数の太陽電池モジュール７の特性を、同時に検査することができる。より具体的には、複数の太陽電池モジュール７を配置台２上の擬似太陽光が照射される照射領域に配置するとき、各太陽電池モジュール７の受光面が照射される光に対して傾斜するように配置する。これにより、太陽電池モジュール７を光に対して垂直に配置するときに比べ、照射領域に配置することができる太陽電池モジュール７の数を増加させることが可能であり、一度により多くの太陽電池モジュール７を検査することができる。検査装置１０における太陽電池モジュール７の配置の詳細については後述する。
【００３３】
検査装置１０により検査される太陽電池モジュール７は複数の太陽電池セルから構成され、受光面において太陽光を受光すると出力する。本実施形態において、太陽電池モジュール７は長方形のパネルであるが、これに限定されるものではなく、たとえば正方形等であってもよい。
【００３４】
光源１は、配置台２に配置された太陽電池モジュール７に対して擬似太陽光を照射する。光源１としては、たとえばキセノンランプ、ハロゲンランプ等が挙げられる。なお、本明細書において「擬似太陽光」を単に「光」ということもある。
【００３５】
配置台２は、光源１から擬似太陽光が照射されるように設置され、複数の太陽電池モジュール７を配置するための台である。本明細書では、この配置台２上の擬似太陽光が照射される領域を「照射領域」という。また、太陽電池モジュール７が配置される場として「配置台」と称しているが、擬似太陽光が照射され、太陽電池モジュール７を配置可能なものであれば台に限定されない。
【００３６】
可動部３は、配置された太陽電池モジュール７における、受光面上の任意の点から光源１までの距離を変える。可動部３による太陽電池モジュール７の配置変換方法は特に限定されるものではないが、たとえば、可動部３は太陽電池モジュール７の傾斜角度を調節することによって受光面上の任意の点から光源１までの距離を変える、すなわち太陽電池モジュール７の中心を支点として回転させるか、または太陽電池モジュール７の傾きを変えることによって、受光面上の任意の点から光源１までの距離を変えることがより好ましい。これにより、受光面に均一に光を照射させて、より正確な出力特性を評価することができる。
【００３７】
測定部４は、擬似太陽光を受光したときの太陽電池モジュール７の出力特性を測定する。なお、本実施形態に係る検査装置１０では、測定部４が測定する特性は出力特性であるが、必要に応じて適宜他の特性を測定するように設定してもよい。
【００３８】
補正部５は、測定部４が測定した出力特性を、太陽電池モジュール７の傾斜角度による影響を消すように補正する。
【００３９】
判定部６は、太陽電池モジュール７の良否判定をする。具体的には、判定部６は、補正部５が補正した出力特性が予め定められた基準を満たしているか否かを判定する。ここで、「予め定められた基準」とは、たとえば事前に太陽電池モジュール７の出力特性を複数回測定し、それらの結果に基づき適宜設定した基準が意図される。なお、本実施形態では判定部６は補正後の出力特性の良否判定を行なっているが、これに限らず補正されていない出力特性を判定してもよい。
【００４０】
〔太陽電池モジュール７の配置〕
上述したように、本実施形態に係る検査装置１０では、複数の太陽電池モジュール７を配置台２上の照射領域に配置するとき、図２に示すように光源１から照射される擬似太陽光に対して受光面を傾斜させて配置する。図２は、検査装置１０における、光源１に対する太陽電池モジュール７の配置例を示す図である。
【００４１】
図２の側面図に示すように、太陽電池モジュール７は、光源１から照射される擬似太陽光８に対して受光面７ｃが斜めになるように配置されている。このとき、太陽電池モジュール７と配置台２とがなす角度αは、特に限定されるものではなく、たとえば６０°〜７０°であればよい。このように、太陽電池モジュール７が斜めに配置されている場合、従来のように光源１に対して受光面７ｃが垂直に配置されている場合と比較して、照射領域内により多くの太陽電池モジュール７を配置することができる。
【００４２】
たとえば、長方形の太陽電池モジュール７の長辺を６５．５ｍｍ、短辺を４１ｍｍとしたとき、光源１に対して受光面７ｃが垂直に配置された太陽電池モジュール７の有効面積（見かけの面積）は、６５．５ｍｍ×４１ｍｍである。つまり、受光面７ｃが光に対して垂直になるように配置されている場合には、太陽電池モジュール７が有効照射領域（照射領域）９に占める面積は、単純に２辺（短辺および長辺）の長さの積で導き出される。ここで、有効照射領域９を直径１２５ｍｍの円とすると、有効照射領域９内に配置することのできる太陽電池モジュール７の最大数は２個である。
【００４３】
これに対し、本実施形態のように、太陽電池モジュール７を受光面７ｃが光に対して傾斜するように配置した場合、傾斜させた分だけいずれかの辺の見かけの長さ（図２の上面図中、Ｘで示す）は短くなる。たとえば、上記角度αを７０°としたとき、太陽電池モジュール７の長辺の見かけの長さは６５．５ｍｍから２２．４ｍｍとなるため、太陽電池モジュール７の有効面積（見かけの面積）は２２．４ｍｍ×４１ｍｍとなる。
【００４４】
この場合、有効照射領域９内に配置することのできる太陽電池モジュール７の最大数は６個であり、垂直に配置したときの最大数と比較して、配置可能な太陽電池モジュール７の数を大幅に増加させることができる。なお、この太陽電池モジュール７において上記角度αが６０°である場合、有効照射領域９内に配置することができる太陽電池モジュール７の最大数は４個である。
【００４５】
このように、検査装置１０では、検査対象となる太陽電池モジュール７を傾斜させて配置することにより、検査領域である有効照射領域９内に配置可能な太陽電池モジュール７の数を大幅に増加させることができる。よって、単位時間当たりに検査する太陽電池モジュール７の数量が増えるため、スループットの向上、すなわち処理能力を向上させることができるとともに、コストを削減することができる。
【００４６】
〔検査装置１０の動作〕
本実施形態に係る検査装置１０では、まず配置台２に複数の太陽電池モジュール７を配置し、光源１から擬似太陽光を照射させる。太陽電池モジュール７の数は特に限定されるものではなく、太陽電池モジュール７の大きさおよび配置台２上に擬似太陽光が照射される照射領域の面積に応じて適宜選択すればよい。また、太陽電池モジュール７の配置は、上述したように太陽電池モジュール７の受光面７ｃを入射してくる擬似太陽光に対して傾斜するように配置すればよい。太陽電池モジュール７を配置した後、測定部４がこの状態の太陽電池モジュール７の出力を測定する。
【００４７】
また、検査装置１０では、最初に配置した状態で太陽電池モジュール７の出力特性を測定した後、太陽電池モジュール７を動かし、受光面７ｃ上の任意の点から光源１までの距離を変えることが好ましい。
【００４８】
つまり、本実施形態に係る検査装置１０では、太陽電池モジュール７をその特性を検査するために配置台２に配置するとき、受光面７ｃを光源１から照射される擬似太陽光８に対して傾斜させている。そのため、受光面７ｃにおけるすべての任意の点において光源１までの距離が同一ではなく、より強く光が照射される領域とそれよりも弱く照射される領域とが生じてしまうことがある。
【００４９】
たとえば、図２に示すように太陽電池モジュール７を擬似太陽光８に対して傾斜させて配置したとき、太陽電池モジュール７の短辺７ａ側の領域では光源１までの距離が近く、反対側に位置する短辺７ｂ側の領域では光源１までの距離が遠い。そのため、短辺７ａ側の領域では必然的に受光量が多くなり、短辺７ａ側の領域では受光量が少なくなる。太陽電池モジュール７は、光の受光量に応じて出力量も変わるため、このように受光面７ｃの領域ごとに受光量がバラついていては、特性にもバラつきが生じることもある。
【００５０】
そこで、本実施形態に係る検査装置１０では、太陽電池モジュール７を一旦配置して特性を測定した後、太陽電池モジュール７を動かして受光面７ｃ上の任意の点から光源１までの距離を変え、さらにその位置で測定する。これにより、受光面７ｃに照射される擬似太陽光の受光量を平均化させることができる。
【００５１】
測定後、取得した出力特性のデータを補正部５が補正し、補正した出力特性を判定部６が良否判定する。これにより、太陽電池モジュール７の出力特性を評価する。
【００５２】
〔太陽電池モジュール７の配置変換〕
以下に、検査装置１０における太陽電池モジュール７の配置変換についてさらに説明する。なお、以下に示す例において可動部３は、太陽電池モジュール７の中心を支点として回転させて、太陽電池モジュール７の短辺７ａおよび短辺７ｂの位置が上下反転するように動かしている。
【００５３】
図３〜９は、本実施形態に係る検査装置１０における、太陽電池モジュール７の配置例を示す上面図である。なお、図３〜９に示す例において、太陽電池モジュール７のサイズ、光源１から照射される擬似太陽光８の有効照射領域９の範囲、および太陽電池モジュール７の傾斜角度は、図２に示した例と同様である。
【００５４】
図３に示すように、配置台２上の有効照射領域９には、６個の太陽電池モジュール１１〜１６が配置されている。これらの太陽電池モジュール１１〜１６では、一方の短辺１１ａ〜１６ａ側は光源１までの距離が近く、他方の短辺１１ｂ〜１６ｂ側は光源１までの距離が遠く、配置台２に接している。
【００５５】
このように配置された太陽電池モジュール７の出力を測定した後、図４に示すように、６個の太陽電池モジュール１１〜１６のうち、半分の太陽電池モジュール１１〜１３を動かす。すなわち、太陽電池モジュール１１〜１３の一方の対角線Ｌ１が、光源１から照射される擬似太陽光８の光軸に対して垂直となるように動かす。なお、太陽電池モジュール１１〜１３の対角線Ｌ１、および後述する対角線Ｌ２〜Ｌ４はすべて約７７．２ｍｍである。このとき、太陽電池モジュール１１，１２は、その一部が有効照射領域９からはみ出し、動かしていない残りの太陽電池モジュール１５，１６に最も接近するが、接触することはない。また、太陽電池モジュール１１〜１３をさらに動かして図５に示す状態にする。
【００５６】
図５に示すように、太陽電池モジュール１１〜１３はもう一方の対角線Ｌ２が光源１から照射される擬似太陽光８の光軸に対して垂直となるように配置される。このとき、太陽電池モジュール１１，１２は、その一部が有効照射領域９からはみ出し、動かしていない残りの太陽電池モジュール１５，１６に最も接近するが、接触することはない。
【００５７】
この太陽電池モジュール１１〜１３をさらに回転させると、図６に示すように短辺１１ａ〜１３ａと短辺１１ｂ〜１３ｂとが入れ替わり、上下反転した状態になる。このように、太陽電池モジュール１１〜１３は１８０°回転される。
【００５８】
次に、残りの太陽電池モジュール１４〜１６を同様に回転させる。図７に示すように、太陽電池モジュール１４〜１６の中心を支点として回転させて、対角線Ｌ３が光源１から照射される擬似太陽光８の光軸に対して垂直になるように動かす。このとき、太陽電池モジュール１５，１６は、その一部が有効照射領域９からはみ出し、すでに回転させた太陽電池モジュール１１，１２に最も接近するが、接触することはない。また、太陽電池モジュール１４〜１６をさらに回転させて図８に示す状態にする。
【００５９】
図８に示すように、太陽電池モジュール１４〜１６はもう一方の対角線Ｌ４が光源１から照射される擬似太陽光８の光軸に対して垂直になっている。ここでも、太陽電池モジュール１５，１６は、その一部が有効照射領域９からはみ出し、すでに回転させた太陽電池モジュール１１，１２に最も接近するが、接触することはない。
【００６０】
この太陽電池モジュール１４〜１６をさらに回転させると、図９に示すように短辺１４ａ〜１６ａと短辺１４ｂ〜１６ｂとが入れ替わり、上下反転した状態になる。このように、すべての太陽電池モジュール１１〜１６は１８０°回転され、上下反転した状態になる。この状態で再度放射照度が影響する測定項目を実施することにより、光源１に対する距離の違いによる測定のバラつきを平均化し、精度の良い測定ができる。
【００６１】
なお、上述した例では、複数の太陽電池モジュール１１〜１６を２回に分けて回転させることにより上下を反転させたが、隣り合う太陽電池モジュール同士の間隔が十分にある場合、または太陽電池モジュール同士が接触しない位置に配置されている場合は、すべての太陽電池モジュールを同時に回転させて、一度に上下反転させることができる。さらに、隣り合う太陽電池モジュール同士の間隔が十分でない場合には、一度太陽電池モジュールを間隔が十分に開くまで移動させ、そこですべての太陽電池モジュールを同時に回転させることによって、一度に上下反転させることもできる。
【００６２】
また、太陽電池モジュールを動かす方法は、上述したように太陽電池モジュールを回転させて両短辺の上下を反転させる方法であってもよいが、これに限定されるものではなく、たとえば隣り合う太陽電池モジュール同士の距離が十分離れている場合には、図１０に示すように太陽電池モジュール７の中心を支点として、逆方向に傾けて上下反転させてもよい。図１０は、本実施形態に係る検査装置１０における、光源１に対する太陽電池モジュール７の別の配置例を示す図である。
【００６３】
〔出力特性の補正〕
上述したように、検査装置１０では、擬似太陽光８を受光したときの太陽電池モジュール７の出力特性を測定部４が測定し、測定された出力特性を補正部５が補正する。また、判定部６は、このように補正された出力特性が予め定められた基準を満たしているか否かを判定する。これにより、太陽電池モジュール７の出力特性が一定の基準を満たしているか否か、すなわち太陽電池モジュール７の良否判定をより正確に判定することができる。
【００６４】
つまり、太陽電池モジュール７の出力特性は、擬似太陽光８が受光面７ｃに入射するときの角度に影響を受ける。この太陽電池モジュール７の出力特性と光の入射角との関係を図１１に示す。図１１は、一般的な太陽電池モジュールの出力特性と光の入射角との関係を示すグラフである。
【００６５】
本実施形態に係る検査装置１０では、太陽電池モジュール７を配置するとき、受光面７ｃを照射される擬似太陽光８に対して傾斜させているため、光源１に近い側の受光面７ｃと光源１に遠い側の受光面７ｃとでは放射照度に違いが生じる。また、太陽電池モジュール７を構成する個々の太陽電池セルの特性によって、太陽電池モジュール７をどのように傾けてどちら側の辺を光源１に近づけるかでも出力特性が異なる場合がある。
【００６６】
そこで、測定された出力特性の良否判定を行なう前に、太陽電池モジュール７の傾斜角度による影響を消すように出力特性を補正することによって、より正確に太陽電池モジュール７を評価することができる。
【００６７】
なお、本実施形態では、光の入射角（あるいは太陽電池モジュール７の傾斜角度）と太陽電池モジュール７の出力特性との関係に基づき補正する例を示したが、補正方法はこれに限定されるものではない。また、補正対象も出力特性に限定されるものではなく、検査する特性に応じて適宜設定すればよい。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６９】
本発明は、たとえば電卓または充電器などに用いられる太陽電池モジュールの特性検査に利用することができる。
【符号の説明】
【００７０】
１    光源
２    配置台
３    可動部（可動手段）
４    測定部（測定手段）
５    補正部（補正手段）
６    判定部（判定手段）
７    太陽電池モジュール
１０  検査装置
【図１】
2011091089.tif 000003
【図２】
2011091089.tif 000004
【図３】
2011091089.tif 000005
【図４】
2011091089.tif 000006
【図５】
2011091089.tif 000007
【図６】
2011091089.tif 000008
【図７】
2011091089.tif 000009
【図８】
2011091089.tif 000010
【図９】
2011091089.tif 000011
【図１０】
2011091089.tif 000012
【図１１】
2011091089.tif 000013
【図１２】
2011091089.tif 000014